(57)【要約】      （修正有）【課題】ガラス戸の提供。【解決手段】対向する上框２０と下框２１がガラスに向いた内溝２２と別端の外溝２３を具え、内溝に端折片及び端部挟持装置が設けられ、ガラスの上下端を挟持する。上述の端部挟持装置にアルミ外クリップとアルミ内クリップが設けられている。外部より六角頭６１を具えたボルト３５がアルミ外クリップの貫通孔３４よりアルミ内クリップ３０のネジ孔２８にねじ込まれる。アルミ内クリップ内部に挟持溝を具えたパッキンストリップが設けられ、ガラスの一端と初期位置決めを形成し、並びに内溝の端折片末端がガラスの対向側面に接近し、ボルトの六角頭の回転により、同時にアルミ内クリップが引き動かされ、アルミ外クリップの内傾斜案内面３３がアルミ内クリップの外傾斜案面を押圧し、これによりパッキンストリップ５１と連帯して全面的に受力し、内向きにガラスを挟持、圧迫、位置決めし、並びに大量の接着剤及び表面シール用シリコンを節約する。【選択図】図２
0003116837.tif 000002
【実用新案登録請求の範囲】
【請求項１】
ガラス戸において、ガラス戸の同状の上框と下框それぞれがガラスに向いた内溝と別端の外溝を具え、内溝に端折片及び端部挟持装置が設けられ、ガラスの上下端を挟持し、上述の端部挟持装置にアルミ外クリップが設けられ、アルミ外クリップの両側折辺と底面が共同で挟持溝を形成し、挟持溝の開口端に二つの内傾斜案内面が形成され、底面に離間する貫通孔が設けられ、アルミ内クリップは両側折辺及び厚さのある底面で小幅の断面を形成し、アルミ外クリップの挟持溝に挿入され、その両側折辺外表面に外傾斜案内面が形成され、並びに厚さのある底面にあってアルミ外クリップの貫通孔に対向する位置にネジ孔が設けられ、外部より頭部を具えたボルトがアルミ外クリップの貫通孔を通りアルミ内クリップのネジ孔にねじ込まれ、上述のアルミ内クリップの内部に挟持溝を具えたパッキンストリップが組み合わされてガラスの一端と初期位置決めを形成し、ボルトの頭部の回転により、全面的にアルミ内クリップが移動し、アルミ外クリップの内傾斜案内面がアルミ内クリップの外傾斜案内面を押圧し、パッキンストリップと一体に内向きにガラスを挟持位置決めすることを特徴とする、ガラス戸。
【請求項２】
請求項１記載のガラス戸において、ガラスの左右端に二つの同状の対向する左框と右框が取り付けられ、該左框と右框がそれぞれガラスに向いた内溝と別の一端の外溝を具え、この内溝の両内側にあって隔板で一体にアルミ外クリップが接続され、アルミ外クリップの挟持溝内に順にアルミ内クリップ、パッキンストリップ、及びガラスの対応端が挿入される。外溝の端壁とアルミ外クリップに対向する貫通孔が設けられ、頭部を具えたボルトが外溝とアルミ外クリップの貫通孔よりアルミ内クリップのネジ孔にねじ込まれることで、アルミ外クリップの内傾斜案内面がアルミ内クリップの外傾斜案内面を押圧し、これによりパッキンストリップが加圧されて内向きにガラスを挟持、圧迫、位置決めすることを特徴とする、ガラス戸。
【考案の詳細な説明】
【技術分野】
【０００１】
本考案は一種のガラス戸に係り、特にガラスの上下端とその上下の対応する框部品間の取り付けが快速に、敏捷に行えるガラス戸に関する。
【背景技術】
【０００２】
一般に引き戸、プッシュ式ドア或いはつり下げ式ドアのようなガラス戸は上下框の間にガラスを取り付ける必要がある。ただし、上下の框部品に設けられた溝中にこのようなガラスの上下端部を取り付ける作業プロセスは相当に面倒で手間隙がかかり不便である。
【０００３】
図１は周知のガラス戸の構造を示し、それは、二つの対向する上下の框部品１０、１１とその間に取り付けられたガラス１２を包含し、現在の組み立て作業プロセスによると、まずガラス１２と下框部品１１を直立固定し、さらに下框部品１１の溝口内部に接着剤１３を注入する。この側が強固に接着された後に、反対方向に同じプロセスを行い、上框部品１０を取り付け、並びに表面シールシリコン１４のコーティングを行い、全体の施工プロセスが相当に面倒で時間がかかる。また、このような施工方式と構造は作業途中になにかのミスがあると修正や調整を行いにくく、理想的でない。
【考案の開示】
【考案が解決しようとする課題】
【０００４】
本考案の目的は、一種のガラス戸の改良構造を提供することにあり、それは速やかに敏捷な方式でガラスを対向する上下框部品の間に取り付けられ、全面的な安定と挟持の位置決め効果を達成し、並びに表面シールシリコンコーティングが不要な構造であるものとする。
【０００５】
本考案のもう一つの目的は、一種のガラス戸の改良構造を提供することにあり、そのガラスに上下框部品が取り付けられるほか、左右框部品が取り付けられるものとする。
【０００６】
上記目的を達成するため、本考案はガラス戸の同状の上框と下框それぞれにガラスに向いた内溝と別端の外溝を具え、内溝に端折片及び端部挟持装置が設けられ、ガラスの上下端を挟持する。上述の端部挟持装置にアルミ外クリップとアルミ内クリップが設けられている。外部より六角頭を具えたボルトがアルミ外クリップの貫通孔よりアルミ内クリップのネジ孔にねじ込まれる。アルミ内クリップ内部に挟持溝を具えたパッキンストリップが設けられ、ガラスの一端と初期位置決めを形成し、並びに内溝の端折片末端がガラスの対向側面に接近し、ボルトの六角頭の回転により、同時にアルミ内クリップが引き動かされ、アルミ外クリップの内傾斜案内面がアルミ内クリップの外傾斜案面を押圧し、これによりパッキンストリップと連帯して全面的に受力し、内向きにガラスを挟持、圧迫、位置決めする。
【０００７】
該ガラスの左右端に二つの同状の対向する左框と右框が取り付けられ、該左框と右框がそれぞれガラスに向いた内溝と別の一端の外溝を具え、この内溝の両内側にあって隔板で一体にアルミ外クリップが接続され、アルミ外クリップの挟持溝内に順にアルミ内クリップ、パッキンストリップ、及びガラスの対応端が挿入される。外溝の端壁とアルミ外クリップに対向する貫通孔が設けられる。頭部を具えたボルトが外溝とアルミ外クリップの貫通孔よりアルミ内クリップのネジ孔にねじ込まれることで、アルミ外クリップの内傾斜案内面がアルミ内クリップの外傾斜案内面を押圧し、これによりパッキンストリップが加圧されて内向きにガラスを挟持、圧迫、位置決めする。
【課題を解決するための手段】
【０００８】
請求項１の考案は、ガラス戸において、ガラス戸の同状の上框と下框それぞれがガラスに向いた内溝と別端の外溝を具え、内溝に端折片及び端部挟持装置が設けられ、ガラスの上下端を挟持し、上述の端部挟持装置にアルミ外クリップが設けられ、アルミ外クリップの両側折辺と底面が共同で挟持溝を形成し、挟持溝の開口端に二つの内傾斜案内面が形成され、底面に離間する貫通孔が設けられ、アルミ内クリップは両側折辺及び厚さのある底面で小幅の断面を形成し、アルミ外クリップの挟持溝に挿入され、その両側折辺外表面に外傾斜案内面が形成され、並びに厚さのある底面にあってアルミ外クリップの貫通孔に対向する位置にネジ孔が設けられ、外部より頭部を具えたボルトがアルミ外クリップの貫通孔を通りアルミ内クリップのネジ孔にねじ込まれ、上述のアルミ内クリップの内部に挟持溝を具えたパッキンストリップが組み合わされてガラスの一端と初期位置決めを形成し、ボルトの頭部の回転により、全面的にアルミ内クリップが移動し、アルミ外クリップの内傾斜案内面がアルミ内クリップの外傾斜案内面を押圧し、パッキンストリップと一体に内向きにガラスを挟持位置決めすることを特徴とする、ガラス戸としている。
請求項２の考案は、請求項１記載のガラス戸において、ガラスの左右端に二つの同状の対向する左框と右框が取り付けられ、該左框と右框がそれぞれガラスに向いた内溝と別の一端の外溝を具え、この内溝の両内側にあって隔板で一体にアルミ外クリップが接続され、アルミ外クリップの挟持溝内に順にアルミ内クリップ、パッキンストリップ、及びガラスの対応端が挿入される。外溝の端壁とアルミ外クリップに対向する貫通孔が設けられ、頭部を具えたボルトが外溝とアルミ外クリップの貫通孔よりアルミ内クリップのネジ孔にねじ込まれることで、アルミ外クリップの内傾斜案内面がアルミ内クリップの外傾斜案内面を押圧し、これによりパッキンストリップが加圧されて内向きにガラスを挟持、圧迫、位置決めすることを特徴とする、ガラス戸としている。
【考案の効果】
【０００９】
本考案は嵌合挟持及び螺接締めつけ方式により急速に、便利に、ガラスの位置決めが行え、その組み立て作業は大幅に簡易化され、大量の接着剤と表面シールシリコンを省略でき、製品品質は安定し、信頼できる、産業上の利用価値がある。
【００１０】
以下の実施例は本考案の説明のために例示されるものであり、本考案の実施範囲を限定するものではなく、例えばその他の金属材料をアルミ内クリップ、アルミ外クリップに使用することも可能である。
【考案を実施するための最良の形態】
【００１１】
図２から図６を参照されたい。本考案は同状の上框２０及び下框２１が設けられ、両者の間に幅広のガラス５０が取り付けられる。上框２０と下框２１の溝内にアルミ外クリップ３０、アルミ内クリップ４０及びパッキンストリップ５１が共同で構成した端部挟持装置が設置され、ガラス５０の対応する上下端が取り付けられる。
【００１２】
同状の対向する上框２０と下框２１中、下框２１を例とすると、それは中間隔板２４で、ガラス５０に向いた内溝２２ともう一端の外溝２３が形成され、内溝２２に端折片２５が形成されて溝口２９が形成され、端折片２５は内側に位置決めストリップ２６が設置されている。該上框２０及び下框２１はその側辺にシールカバー８０が組み合わされ（図４）、シールカバー８０に上下框の幅に合わせた両側辺８１が設けられるとともに外端面の直向溝８２と中央貫通孔８３が設けられ、ボルト８５が貫通孔８３を通り螺接部２７に螺接され、さらに溝８２中に弾性ストリップ８４が挿入される。
【００１３】
上述の端部挟持装置を形成するのに用いられるアルミ外クリップ３０は、その両側折辺３１及び底面が共同でＵ形断面の挟持溝を形成し、アルミ内クリップ４０の組合せに供され、またその挟持溝の開口端３２に二つの内傾斜案内面３３が形成され、その底面に離間貫通孔３４が設けられている。アルミ内クリップ４０も同様にその両側折辺４１外表面上段位置に外傾斜案内面４３が設けられ、その厚みを有する底面にあって、アルミ外クリップ３０の貫通孔３４に対向する位置にネジ孔４４が設けられている。両側折辺４１は開口端の外表面に位置決め凹溝４２が設けられ、並びにその幅は位置決めストリップ２６より大きく、挟持溝４７の内表面に挟持歯４６が設けられ、並びに且つ底面中央に長さ方向全体に延伸された載置ストリップ４５が凸設されている。外部より六角頭６１を具えたボルト６０が貫通孔３４を通りネジ孔４４にねじ込まれ、相対移動形成に供され、上述のアルミ内クリップ４０内部に同様に両側折辺５２及びその挟持溝を具えたパッキンストリップ５１が組み合わされる。
【００１４】
図６に示されるように、上述のすでに組み合わされた端部挟持装置が先にガラス５０の一端に取り付けられ初期位置決めが形成され、ボルト６０を完全に締めつけない時、その六角頭６１が図７の点線に示される下框２１の螺接部２７及び両内側の凸片２２１に衝突し、内溝２２内に取り付け不能であり、安全作用が達成される。ボルト６０の六角頭６１が回転する時、図８に示されるように、同時にアルミ内クリップ４０及びその増厚型のネジ孔４４が全面的に力を伝導する。この時、相互に対向する内傾斜案内面３３と外傾斜案内面４３の相対移動により、アルミ外クリップ３０の内傾斜案内面３３が全面的にアルミ内クリップ４０の外傾斜案内面４３を押圧し、アルミ内クリップ４０がパッキンストリップ５１と一体に全面的に加圧されて内向きにガラス５０を挟持圧迫し、位置決めする。アルミ内クリップ４０の底面はアルミ外クリップ３０の底面に当接し、これにより締めつけ作業時の上限値が提供される。
【００１５】
ガラス５０の上下端はいずれも左右二組の端部挟持装置が組み合わされた後に、図２、９に示されるように、上框２０及び下框２１が取り付けてもよく、並びにアルミ内クリップ４０の位置決め凹溝４２に端折片２５内側の位置決めストリップ２６が組み合わされ、ボルト６０の六角頭６１と内溝２２及びその螺接部２７の間に取り付け間隙がある。さらに図２、４、９に示されるように、外溝２３の空間中において、ボルト３５が中間隔板２４のネジ孔２８にねじ込まれ、アルミ外クリップ３０底面を強制的に位置決めする。このほか、外溝２３の両側溝２３１中に固定板９０、９１が取り付けられ、並びにボルト９２で固定され、その他の関係の戸用アクセサリの位置決めに供される。
【００１６】
ボルト６０はがアルミ内クリップ４０の増厚型ネジ孔４４と螺接するため、全面的に安定し有効な挟持位置決めが行え、またアルミ内クリップ４０とアルミ外クリップ３０の挟持溝開口端が同一高さ位置に位置決めされる。内溝２２全体の端折片２５位置はパッキンストリップ５１の開口端より高く、並びに端折片２５末端がガラス５０の対応側面に近接し、これにより、両者間の接続部分外表面にシール用シリコンコーティングが不要となる。
【００１７】
図１０は、もう一種のアルミ内クリップ４０１構造を示し、その両側折辺４１内表面上段位置に内傾斜挟持面４８が設けられ、アルミ外クリップ３００がアルミ内クリップ４０１に螺接され引っ張られる時（図１１）、その両側内傾斜挟持面４８が全平面で確実にガラス５０及びパッキンストリップ５１を挟持位置決めする。
【００１８】
図１２、１３、１４は別のガラス戸の実施例を示し、同様に上框２０と下框２１の間にガラス５０が取り付けられ、さらにガラス５０の左右端に二つの同状の左框７０と右框７１とその短型アルミ内クリップ４００が取り付けられている。左框７０と右框７１はそれぞれガラス５０に向いた内溝７２ともう一端の外溝７３を具え、内溝７２の両内側にあって、隔板７４で一体にＵ形アルミ外クリップ７７が接続され、該アルミ外クリップ７７は同様に両側折辺７７１、開口端７７２、及び内傾斜案内面７７３を具えている。該内溝７２に端折片７５が設けられて溝口７９が形成され、外溝７３の端壁７６に直向溝７８が設けられ、並びにそれとアルミ外クリップ７７に対向する貫通孔７７４、７８１が設けられ（図１５）、ボルト７７５のアルミ内クリップ４００のネジ孔４４へのねじ込みに供される。
【００１９】
図１５に示されるように、左框７０及びアルミ外クリップ７７５にボルト７７５でアルミ内クリップ４００の初期組合せを完成した後、ガラス５０の対応端及びそのパッキンストリップ５１を嵌合可能で、ボルト７７５頭部を回転させて、アルミ外クリップ７７の内傾斜案内面７７３によりアルミ内クリップ４００の外傾斜案内面４３を押圧し（図１６）、これによりパッキンストリップ５１を連帯して内向きにガラス５０を押圧、挟持して位置決めできる。さらに図１３に示されるように、上框２０の中間隔板２４はボルト７７７が所定の貫通孔２４１を通りさらに左框７０の対応する螺接部７７６にねじ込まれることで、組合せの安定性が向上される。このほか、図１７に示されるアルミ外クリップ７７０及びアルミ内クリップ４０２の構造中、その両側折辺４１に同様に内傾斜挟持面４８を設置可能である。
【図面の簡単な説明】
【００２０】
【図１】周知のガラス戸の構造図である。
【図２】本考案の好ましい実施例の構造図である。
【図３】図２の端部挟持装置とガラスの初期組合せ状態図である。
【図４】図２の下框とその関係アクセサリの分解図である。
【図５】図３の端部挟持装置の分解図である。
【図６】図３の端部挟持装置とガラスの初期組合せ状態図である。
【図７】図６の下框組合せ不能状態の表示図である。
【図８】図６に続く、すでに挟持した状態図である。
【図９】図８に続く、下框取り付け状態図である。
【図１０】図６に類似であるが、別種類のアルミ内クリップの初期取り付け状態図である。
【図１１】図１０に続く、すでに挟持した状態図である。
【図１２】本考案の別の実施例のガラス戸の構造図である。
【図１３】図１２の左上角部分の拡大断面図である。
【図１４】図１２の左框とその関係アクセサリの分解図である。
【図１５】図１３の左框とガラスの初期取り付け状態図である。
【図１６】図１５に続く取り付け完成状態図である。
【図１７】図１６に類似であるが、別の種類のアルミ内クリップの取り付け状態図である。
【符号の説明】
【００２１】
１０  上框部品        １１  下框部品          １２  ガラス
１３  接着剤          １４  シリコン          １５  内クリップ
２０  上框            ２１  下框              ２２  内溝
２３  外溝            ２４  中間隔板          ２５  端折片
２６  位置決めストリップ  ２７  螺接部        ２８  ネジ孔
２９  溝口                ２２１  凸片        ２３１  溝
２４１  貫通孔
３０  アルミ外クリップ    ３１  両側折辺      ３２  開口端
３３  内傾斜案内面        ３４  貫通孔        ３５  ボルト
３００  アルミ外クリップ
４０  アルミ内クリップ    ４１  両側折辺      ４２  位置決め凹溝
４３  外傾斜案内面        ４４  ネジ孔        ４５  載置ストリップ
４６  挟持歯              ４７  挟持溝        ４８  内傾斜挟持面
４００  アルミ内クリップ  ４０１  アルミ内クリップ  ４０２  アルミ内クリップ
５０  ガラス              ５１  パッキンストリップ  ５２  両側折辺
６０  ボルト              ６１  六角頭
７０  左框                ７１  右框                ７２  内溝
７３  外溝                ７４  隔板                ７５  端折片
７６  端壁                ７７  アルミ外クリップ    ７７１  両側折辺
７７２  開口端            ７７３  内傾斜案内面      ７７４  貫通孔
７７５  ボルト            ７７６  螺接部            ７７７  ボルト
７８１  貫通孔
８０  シールカバー        ８１  両側折辺            ８２  溝
８３  貫通孔              ８４  ゴムストリップ      ８５  ボルト
９０、９１  固定板        ９２  ボルト
【図１】
0003116837.tif 000003
【図２】
0003116837.tif 000004
【図３】
0003116837.tif 000005
【図４】
0003116837.tif 000006
【図５】
0003116837.tif 000007
【図６】
0003116837.tif 000008
【図７】
0003116837.tif 000009
【図８】
0003116837.tif 000010
【図９】
0003116837.tif 000011
【図１０】
0003116837.tif 000012
【図１１】
0003116837.tif 000013
【図１２】
0003116837.tif 000014
【図１３】
0003116837.tif 000015
【図１４】
0003116837.tif 000016
【図１５】
0003116837.tif 000017
【図１６】
0003116837.tif 000018
【図１７】
0003116837.tif 000019